(57)【要約】【課題】システム帯域が狭い場合、あるいは、ユーザのリソースが中心周波数付近に割り当てられる場合であっても、スループットの向上を図ること。【解決手段】ＰＤＳＣＨを介したデータ送信に利用可能な無線リソース量が互いに異なる第１のサブフレームおよび第２のサブフレームを含むフレームを用いてデータ送信を行う基地局装置１０であって、ＴＢＳ選択部１３が、データ送信に第１のサブフレームまたは第２のサブフレームのいずれを用いるかを識別する識別情報を取得し、その識別情報に応じて、データの送信方法を可変に設定する。【選択図】図４
2014192734.tif 000002
【特許請求の範囲】
【請求項１】
所定のチャネルを介したデータ送信に利用可能な無線リソース量が互いに異なる第１のサブフレームおよび第２のサブフレームを含むフレームを用いて前記データ送信を行う基地局装置であって、
前記データ送信に前記第１のサブフレームまたは前記第２のサブフレームのいずれを用いるかを識別する識別情報を取得する取得部と、
前記識別情報に応じて、少なくとも前記データの送信方法、または、送信対象とするデータの種別のいずれかを可変に設定する設定部と、
を具備する基地局装置。
【請求項２】
前記データの送信方法の設定は、前記データの送信に利用可能な複数のエレメントから構成される伝送ブロックのサイズの設定を含む
請求項１記載の基地局装置。
【請求項３】
前記データの送信方法の設定は、前記データの送信の際の空間多重数の設定を含む
請求項１または２記載の基地局装置。
【請求項４】
前記データの種別は、再送データおよび非再送データの種別を含む
請求項１〜３のいずれかに記載の基地局装置。
【請求項５】
前記データの種別は、前記データの送信チャネルの品質の種別を含む
請求項１〜４のいずれかに記載の基地局装置。
【請求項６】
前記データの種別は、制御データおよび非制御データの種別を含む
請求項１〜５のいずれかに記載の基地局装置。
【請求項７】
前記データの種別は、前記データのビット数の種別を含む
請求項１〜６のいずれかに記載の基地局装置。
【請求項８】
前記所定のチャネルは、ＬＴＥ（Long Term Evolution）またはＬＴＥ（Long Term Evolution）−Ａｄｖａｎｃｅｄの規格におけるＰＤＳＣＨ（Physical Downlink Shared Channel）であり、前記データ送信に利用可能な無線リソース量は、前記規格において前記ＰＤＳＣＨが利用可能な複数のリソースエレメントに対応するリソース量である
請求項１〜７のいずれかに記載の基地局装置。
【請求項９】
所定のチャネルを介したデータ送信に利用可能な無線リソース量が互いに異なる第１のサブフレームおよび第２のサブフレームを含むフレームを用いて前記データ送信を行うデータ送信方法であって、
前記データ送信に前記第１のサブフレームまたは前記第２のサブフレームのいずれを用いるかを識別する識別情報を取得する取得ステップと、
前記識別情報に応じて、少なくとも前記データの送信方法、または、送信対象とするデータの種別のいずれかを可変に設定する設定ステップと、
を含むデータ送信方法。
【発明の詳細な説明】
【技術分野】
【０００１】
本発明は、所定のチャネルを介したデータ送信に利用可能な無線リソース量が互いに異なる第１のサブフレームおよび第２のサブフレームを含むフレームを用いてデータ送信を行う基地局装置およびデータ送信方法に関する。
【背景技術】
【０００２】
国際標準化団体３ＧＰＰ（3rd Generation Partnership Project）により、２００８年に、ＬＴＥ（Long Term Evolution）と呼ばれる新しい規格が、３ＧＰＰ  Ｒｅｌｅａｓｅ ８として策定されている（例えば、非特許文献１を参照）。そして、日本では、ＬＴＥのサービスが２０１０年に開始されている。
【０００３】
さらに、２０１１年には、３ＧＰＰにより、ＬＴＥを拡張したＬＴＥ−Ａｄｖａｎｃｅｄと呼ばれる規格が、３ＧＰＰ  Ｒｅｌｅａｓｅ １０として策定されている（例えば、非特許文献２を参照）。そして、今後の市場の要求に対応すべく、更なる技術の高度化が図られている。
【０００４】
ＬＴＥ（あるいはＬＴＥ−Ａｄｖａｎｃｅｄ）の規格では、下りリンク移動通信システムにおける周波数の利用効率を向上させるため、基地局装置が送信する送信データのサイズ（伝送ブロックサイズ（以下、ＴＢＳ（Transport Block Size）と呼ぶ。））を制御する。
【０００５】
具体的には、基地局装置は、移動局装置で測定したチャネル品質情報（以下、ＣＱＩ（Channel Quality Indicator）と呼ぶ。）と使用リソースブロック（以下、ＲＢ（Resource Block）と呼ぶ。）の数に基づき、下り共有チャネル（以下、ＰＤＳＣＨ（Physical Downlink Shared Channel）と呼ぶ。）を用いて送信するデータのサイズを決定する。ここで、使用リソースブロックの数は、使用帯域と読み替えることができる。
【０００６】
さらに、特許文献１には、スループット特性を劣化させることなく、高速なピークレートを実現するため、ＰＤＳＣＨにおけるＴＢＳを決定する際に、ＣＱＩおよび使用ＲＢ数に加えて、ＡＣＫ/ＮＡＣＫ情報や、ＰＤＳＣＨの誤り率を用いる無線基地局が開示されている。
【先行技術文献】
【特許文献】
【０００７】
【特許文献１】特開２０１１−６６５４５号公報
【非特許文献】
【０００８】
【非特許文献１】European Telecommunications Standards Institute, 3rd Generation Partnership Project, "3GPP TS 36.213 version 8.3.0 Release 8", November 2008.
【非特許文献２】European Telecommunications Standards Institute, 3rd Generation Partnership Project, "3GPP TS 36.213 version 10.0.1 Release 10", January 2011.
【発明の概要】
【発明が解決しようとする課題】
【０００９】
しかしながら、上述した特許文献１の従来技術では、ＴＢＳを決定する際に、サブフレームの構造の違いを考慮しておらず、伝送効率が低下する可能性がある。この点について、以下で詳しく説明する。
【００１０】
図１は、各サブフレームの構造の違いを示す図である。図１には、ＣＰ（Cyclic Prefix）がＥｘｔｅｎｄｅｄ−ＣＰ、帯域が１．４ＭＨｚ、ＣＦＩ（Control Format Indicator）が３、送信アンテナ数が２の場合において、ＰＤＳＣＨで使用可能なリソースエレメントが、白色の矩形で示されている。このように、サブフレーム＃０と＃５においては、ＰＤＳＣＨで使用可能なリソースエレメントの数が、それ以外のサブフレームに比べて少なくなっている。
【００１１】
これは、サブフレーム♯０および♯５の中心周波数付近に、同期信号や下り物理報知チャネル（以下、ＰＢＣＨ（Physical Broadcast Channel）と呼ぶ。）などの予約リソースが割り当てられるためである。
【００１２】
すなわち、このような予約リソースが割り当てられるため、システム帯域が狭い場合や、ユーザのリソースが中心周波数付近に割り当てられる場合、サブフレーム♯０と♯５に割り当てられるＰＤＳＣＨのリソースが、それ以外のサブフレームに割り当てられるリソースに比べて大幅に少なくなってしまう。
【００１３】
図２は、図１に示した各サブフレームの符号化率の違いを示す図である。図２には、２種類のＭＣＳ（Modulation and Coding Scheme）に対する符号化率が示されている。図２に示されるように、サブフレーム＃０、＃５のＰＤＳＣＨの符号化率は、それ以外のサブフレームに比べて大きくなる。
【００１４】
これは、サブフレーム＃０、＃５におけるＰＤＳＣＨのリソースエレメント数が少ないにもかかわらず、ＴＢＳが他のサブフレームと同じであることに起因する。特に、サブフレーム＃０のＭＣＳ４では、符号化率が１を超えるため、理論上復号することが出来ないことになる。
【００１５】
このように、サブフレーム♯０、♯５におけるＰＤＳＣＨの符号化率が大きくなることにより、システム帯域が狭い場合や、ユーザのリソースが中心周波数付近に割り当てられる場合、誤り率が高くなり、伝送効率が低下してしまう。
【００１６】
図３は、ＭＣＳがＭＣＳ０である場合のＢＬＥＲ特性を示す図である。図３に示すように、サブフレーム♯０、♯５の場合、その他のサブフレームと比べて、誤り率が高くなっていることがわかる。
【００１７】
本発明は、かかる点に鑑みてなされたものであり、システム帯域が狭い場合、あるいは、ユーザのリソースが中心周波数付近に割り当てられる場合であっても、スループットを向上できるようにすることを目的とする。
【課題を解決するための手段】
【００１８】
本発明の基地局装置は、所定のチャネルを介したデータ送信に利用可能な無線リソース量が互いに異なる第１のサブフレームおよび第２のサブフレームを含むフレームを用いてデータ送信を行う基地局装置であって、データ送信に第１のサブフレームまたは第２のサブフレームのいずれを用いるかを識別する識別情報を取得する取得部と、識別情報に応じて、少なくともデータの送信方法、または、送信対象とするデータの種別のいずれかを可変に設定する設定部と、を具備する構成を採る。
【００１９】
本発明のデータ送信方法は、所定のチャネルを介したデータ送信に利用可能な無線リソース量が互いに異なる第１のサブフレームおよび第２のサブフレームを含むフレームを用いてデータ送信を行うデータ送信方法であって、データ送信に第１のサブフレームまたは第２のサブフレームのいずれを用いるかを識別する識別情報を取得する取得ステップと、識別情報に応じて、少なくともデータの送信方法、または、送信対象とするデータの種別のいずれかを可変に設定する設定ステップと、を含むようにする。
【発明の効果】
【００２０】
本発明によれば、システム帯域が狭い場合、あるいは、ユーザのリソースが中心周波数付近に割り当てられる場合であっても、スループットの向上を図ることができる。
【図面の簡単な説明】
【００２１】
【図１】各サブフレームの構造の違いを示す図
【図２】各サブフレームの符号化率の違いを示す図
【図３】ＭＣＳがＭＣＳ０である場合のＢＬＥＲ特性を示す図
【図４】本実施の形態１に係る基地局装置の構成の一例を示すブロック図
【図５】ＴＢＳテーブルの一例を示す図
【図６】本実施の形態１に係る移動局装置の構成の一例を示すブロック図
【図７】本実施の形態２に係る基地局装置の構成の一例を示すブロック図
【図８】本実施の形態３に係る基地局装置の構成の一例を示すブロック図
【発明を実施するための形態】
【００２２】
以下、本発明の実施の形態について、図面を参照して詳細に説明する。なお、以下では、ＬＴＥ規格、または、ＬＴＥ−Ａｄｖａｎｃｅｄ規格を用いた移動通信システムに本発明を適用する場合について説明するが、これに限定されるものではない。すわわち、所定のチャネルを介したデータ送信に利用可能な無線リソース量が互いに異なる第１のサブフレームおよび第２のサブフレームを含むフレームを用いてデータ送信を行う移動通信システムにも同様に、本発明を適用することができる。
【００２３】
（実施の形態１）
本実施の形態１では、サブフレーム番号に応じて、ＴＢＳを変更する場合について説明する。具体的には、サブフレーム♯０、♯５に対するＴＢＳを、それ以外のサブフレームで使用するＴＢＳよりも小さくなるよう設定する。
【００２４】
図４は、本実施の形態１に係る基地局装置１０の構成の一例を示すブロック図である。なお、図４には、基地局装置１０の構成要素のうち、本発明に関連する部分が主に示されている。
【００２５】
基地局装置１０は、後に説明する移動局装置２０との間で無線通信を行う装置である。基地局装置１０は、ＣＱＩ受信部１１、ＭＣＳ選択部１２、ＴＢＳ選択部１３、送信モード選択部１４、ＰＤＳＣＨ送信部１５を備える。
【００２６】
ＣＱＩ受信部１１は、移動局装置２０から上り共有チャネル（以下、ＰＵＳＣＨ（Physical Uplink Shared Channel）と呼ぶ。）を用いて送信されたＣＱＩを受信し、そのＣＱＩをＭＣＳ選択部１２、および、送信モード選択部１４に出力する。ＭＣＳ選択部１２は、受信したＣＱＩに基づいて、使用するＭＣＳを選択し、その結果をＴＢＳ選択部１３に通知する。
【００２７】
ＴＢＳ選択部１３は、選択されたＭＣＳからＴＢＳインデックスを算出し、そのＴＢＳインデックス、使用リソースブロック数、および、サブフレーム番号から、ＴＢＳテーブルを用いてＴＢＳを決定する。ここで、ＴＢＳインデックスの算出方法は、ＬＴＥ規格、または、ＬＴＥ−Ａｄｖａｎｃｅｄ規格に定義されている。
【００２８】
また、使用リソースブロック数、および、サブフレーム番号は、図示しないスケジューラにより決定され、ＴＢＳ選択部１３は、そのスケジューラから使用リソースブロック数、および、サブフレーム番号の情報を取得する。なお、具体的なＴＢＳの決定方法については、後に図５を参照して詳しく説明する。
【００２９】
送信モード選択部１４は、ＣＱＩ受信部１１が受信したＣＱＩの情報に応じて送信モードを選択し、選択した送信モードの情報をＰＤＳＣＨ送信部１５に出力する。送信モードには、例えば、空間多重を行わないＲＡＮＫ１送信モードや、空間多重を行うＲＡＮＫ２送信モードなどがある。
【００３０】
ＰＤＳＣＨ送信部１５は、ＰＤＳＣＨを介して、送信モード選択部１４により選択された送信モード、および、ＴＢＳ選択部１３で決定したＴＢＳで、スケジューリングされた移動局装置２０にデータを送信する。
【００３１】
つぎに、図５を用いて、ＴＢＳの決定方法について具体的に説明する。図５は、ＴＢＳテーブルの一例を示す図である。ＴＢＳ選択部１３は、ＴＢＳインデックスを以下の（式１）を用いて決定することにより、サブフレーム＃０、＃５におけるＴＢＳをより小さい値に設定する。
【００３２】
【数１】
2014192734.tif 000003
【００３３】
ここで、TBSindexadjustedは、ＴＢＳ選択部１３で決定されるＴＢＳインデックスであり、TBSindexselectedは、ＭＣＳ選択部１２で選択されたＭＣＳから算出したＴＢＳインデックスであり、ΔTBSadj0、ΔTBSadj5は、それぞれサブフレーム♯０、♯５の場合におけるＴＢＳインデックスの調整幅を示すパラメータである。
【００３４】
たとえば、使用リソースブロック数が５であり、TBSindexselectedが４であり、ΔTBSadj0が３である場合、図５の矢印Ａで示されるように、サブフレーム＃０におけるＴＢＳが３２８から１７６へと小さくなる。なお、TBSindexadjustedは、ＴＢＳ選択部１３でのみ用いられるＴＢＳインデックスであり、他の処理に影響を与えるものではない。
【００３５】
あるいは、ＴＢＳ選択部１３は、使用リソースブロック数を以下の（式２）を用いて決定することにより、サブフレーム＃０、＃１におけるＴＢＳをより小さい値に設定してもよい。
【００３６】
【数２】
2014192734.tif 000004
【００３７】
ここで、NRBadjustedは、ＴＢＳ選択部１３で決定される使用リソースブロック数であり、NRBselectedは、ＴＢＳ選択部１３に入力される使用リソースブロック数であり、ΔNRBadj0、ΔNRBadj5は、それぞれサブフレーム♯０、♯５の場合における使用リソースブロック数の調整幅を示すパラメータである。
【００３８】
たとえば、ＴＢＳインデックスが４であり、NRBselectedが５であり、ΔTBSadj0が２である場合、図５の矢印Ｂで示されるように、サブフレーム＃０におけるＴＢＳが３２８から２０８へと小さくなる。なお、NRBadjustedは、ＴＢＳ選択部１３でのみ用いられる使用リソースブロック数であり、他の処理に影響を与えるものではない。
【００３９】
このように、ＰＤＳＣＨに割り当て可能なリソースが少ないサブフレーム♯０、♯５に対するＴＢＳを小さく設定することで、送信データ量は減るものの、伝送誤りを低下させ、スループットを向上させることができる。
【００４０】
なお、ここでは、ＴＢＳインデックスと、使用リソースブロック数とを別々に調整したが、それらを同時に調整することとしてもよい。たとえば、TBSindexselectedが４であり、NRBselectedが５であり、ΔTBSadj0が３であり、ΔTBSadj0が２である場合、図５の例では、サブフレーム♯０におけるＴＢＳを３２８から８８へと小さくすることができる。
【００４１】
また、ここでは、図５に示したようなＴＢＳテーブルを用いて、各サブフレームにおけるＴＢＳを決定することとした。しかし、各サブフレームに対して共通のＴＢＳテーブルを用いるのではなく、サブフレーム♯０用、♯５用、その他のサブフレーム用といったように、複数個のＴＢＳテーブルを設けることとしてもよい。
【００４２】
この場合、サブフレーム♯０用、♯５用のＴＢＳテーブルでは、その他のサブフレーム用のＴＢＳテーブルよりも、ＴＢＳインデックス、および、使用リソースブロック数の同じ組み合わせに対して、ＴＢＳの値が小さくなるよう設定される。
【００４３】
また、これから送信されるデータのサイズを移動局装置２０に認識させるため、データを送信する前に、TBSindexadjustedやNRBadjustedの情報は、たとえばＰＤＣＣＨ（Physical Downlink Control Channel）を用いて移動局装置２０に通知される。
【００４４】
図６は、本実施の形態１に係る移動局装置２０の構成の一例を示すブロック図である。図６には、移動局装置２０の構成要素のうち、本発明に関連する部分が主に示されている。
【００４５】
移動局装置２０は、基地局装置１０との間で無線通信を行う装置である。移動局装置２０は、ＰＤＳＣＨ受信部２１、ＣＱＩ処理部２２、制御部２３、ＰＵＳＣＨ送信部２４を備える。
【００４６】
ＰＤＳＣＨ受信部２１は、基地局装置１０によりＰＤＳＣＨを介して送信されたデータを受信する。ＣＱＩ処理部２２は、ＰＤＳＣＨの品質を判定し、判定結果を制御部２３に出力する。
【００４７】
制御部２３は、ＰＤＳＣＨ受信部２１が受信したデータの処理を行う。また、制御部２３は、基地局装置１０に送信するデータを生成する。その際、制御部２３は、そのデータにＣＱＩを埋め込む処理を行う。ＰＵＳＣＨ送信部２４は、ＣＱＩが埋め込まれたデータをＰＵＳＣＨを介して送信する。基地局装置１０では、このＣＱＩに基づいて、移動局装置２０との通信で使用するＭＣＳを決定する。
【００４８】
（実施の形態２）
本実施の形態２では、サブフレーム番号に応じて、送信モードを変更する場合について説明する。具体的には、ＲＡＮＫ２送信モードが指定されている場合、サブフレーム♯０、♯５については送信モードをＲＡＮＫ１送信モードに変更する。
【００４９】
図７は、本実施の形態２に係る基地局装置３０の構成の一例を示すブロック図である。図７には、基地局装置３０の構成要素のうち、本発明に関連する部分が主に示されている。
【００５０】
基地局装置３０は、図６に示した移動局装置２０との間で無線通信を行う装置である。基地局装置３０は、ＣＱＩ受信部３１、ＭＣＳ選択部３２、ＴＢＳ選択部３３、送信モード選択部３４、送信モード調整部３５、ＰＤＳＣＨ送信部３６を備える。
【００５１】
ＣＱＩ受信部３１は、移動局装置２０からＰＵＳＣＨを用いて送信されたＣＱＩを受信し、そのＣＱＩをＭＣＳ選択部３２、および、送信モード選択部３４に出力する。ＭＣＳ選択部３２は、受信したＣＱＩに基づいて、使用するＭＣＳを選択し、その結果をＴＢＳ選択部３３に通知する。
【００５２】
ＴＢＳ選択部３３は、ＭＣＳ選択部３２により選択されたＭＣＳからＴＢＳインデックスを算出し、そのＴＢＳインデックス、および、使用リソースブロック数から、図５に示したようなＴＢＳテーブルを用いてＴＢＳを決定する。
【００５３】
ここで、ＴＢＳインデックスの算出方法は、ＬＴＥ規格、または、ＬＴＥ−Ａｄｖａｎｃｅｄ規格に定義されている。また、使用リソースブロック数は、図示しないスケジューラにより決定され、ＴＢＳ選択部３３は、そのスケジューラから使用リソースブロック数の情報を取得する。
【００５４】
送信モード選択部３４は、ＣＱＩ受信部３１が受信したＣＱＩの情報に応じて送信モードを選択し、選択した送信モードの情報を送信モード調整部３５に出力する。送信モードには、例えば、空間多重を行わないＲＡＮＫ１送信モードや、空間多重を行うＲＡＮＫ２送信モードなどがある。
【００５５】
送信モード調整部３５は、サブフレーム番号に応じて、送信モード選択部３４により選択された送信モードを調整する。なお、サブフレーム番号は、図示しないスケジューラにより決定され、送信モード調整部３５は、そのスケジューラからサブフレーム番号の情報を取得する。
【００５６】
具体的には、送信モード選択部３４は、サブフレーム♯０、♯５に対して選択された送信モードが、空間多重を行うＲＡＮＫ２送信モードである場合、空間多重を行わないＲＡＮＫ１送信モードに送信モードを変更する。なお、それ以外のサブフレームについては、送信モード選択部３４は、送信モードの変更を行わない。
【００５７】
ＰＤＳＣＨ送信部３６は、ＰＤＳＣＨを介して、送信モード調整部３５で選択された送信モード、および、ＴＢＳ選択部３３により選択されたＴＢＳで、スケジューリングされた移動局装置２０にデータを送信する。
【００５８】
なお、データを送信する際の送信モードを移動局装置２０に認識させるため、データを送信する前に、送信モードの情報は、たとえばＰＤＣＣＨを用いて移動局装置２０に通知される。
【００５９】
このように、サブフレーム♯０、♯５に対してＲＡＮＫ２送信モードが設定されている場合、送信モードをＲＡＮＫ１送信モードに変更することで、送信データ量は減るものの、伝送誤りを低下させ、スループットを向上させることができる。
【００６０】
（実施の形態３）
本実施の形態３では、サブフレーム番号に応じて、送信するデータ種別を変更する場合について説明する。具体的には、サブフレーム♯０、♯５に割り当てるデータを、低優先度のデータとしたり、送信チャネルの品質が高いデータとしたり、重要でないデータとしたり、ビット数の少ないデータとしたりする。
【００６１】
図８は、本実施の形態３に係る基地局装置４０の構成の一例を示すブロック図である。図８には、基地局装置４０の構成要素のうち、本発明に関連する部分が主に示されている。
【００６２】
基地局装置４０は、図６に示した移動局装置２０との間で無線通信を行う装置である。基地局装置４０は、ＣＱＩ受信部４１、ＭＣＳ選択部４２、ＴＢＳ選択部４３、送信データ選択部４４、送信モード選択部４５、ＰＤＳＣＨ送信部４６を備える。
【００６３】
ＣＱＩ受信部４１は、移動局装置２０からＰＵＳＣＨを用いて送信されたＣＱＩを受信し、そのＣＱＩをＭＣＳ選択部４２、送信データ選択部４４、および、送信モード選択部４５に出力する。ＭＣＳ選択部４２は、受信したＣＱＩに基づいて、使用するＭＣＳを選択し、その結果をＴＢＳ選択部４３に通知する。
【００６４】
ＴＢＳ選択部４３は、ＭＣＳ選択部４２により選択されたＭＣＳからＴＢＳインデックスを算出し、そのＴＢＳインデックス、および、使用リソースブロック数から、図５に示したようなＴＢＳテーブルを用いてＴＢＳを決定する。
【００６５】
ここで、ＴＢＳインデックスの算出方法は、ＬＴＥ規格、または、ＬＴＥ−Ａｄｖａｎｃｅｄ規格に定義されている。また、使用リソースブロック数は、図示しないスケジューラにより決定され、ＴＢＳ選択部４３は、そのスケジューラから使用リソースブロック数の情報を取得する。
【００６６】
送信データ選択部４４は、サブフレーム番号に応じて、送信するデータ種別を以下のいずれかの方法で選択する。また、送信データ選択部４４は、以下の方法を組み合わせて用いることとしてもよい。なお、サブフレーム番号は、図示しないスケジューラにより決定され、送信データ選択部４４は、そのスケジューラからサブフレーム番号の情報を取得する。
【００６７】
（Ａ）送信データ選択部４４は、サブフレーム＃０、＃５に割り当てるデータとして、再送プロセスにおいて送信されるデータを優先的に選択し、他のサブフレームに割り当てるデータとして、初めて送信するデータを優先的に選択する。
【００６８】
このような処理を行う理由は、再送プロセスにおいて送信されるデータは、初めて送信するデータと比較して、優先度が低いと考えられるためである。初めて送信するデータの誤り率が低ければ、再送プロセスは不要となる。
【００６９】
また、再送データの伝送に誤りが生じた場合でも、それ以前に送信されたデータと合成することで、伝送誤り率を改善することができる。このようなことから、伝送誤り率が高くなるサブフレーム♯０、♯５に再送データを割り当てることで、システムスループットの低下を防ぐことができる。
【００７０】
（Ｂ）送信データ選択部４４は、サブフレーム＃０、＃５に割り当てるデータとして、ＣＱＩ値がより高い移動局装置２０に送信するデータを優先的に選択し、他のサブフレームに割り当てるデータとして、選択されたデータよりもＣＱＩ値が低い移動局装置２０に送信するデータを優先的に選択する。
【００７１】
このように、品質の良いチャネルを介して送信されるデータを伝送誤り率が高くなるサブフレーム♯０、♯５に割り当てることで、システムスループットの低下を防ぐことができる。
【００７２】
（Ｃ）送信データ選択部４４は、サブフレーム＃０、＃５に割り当てるデータから、制御データ（例えば、C-plane message)などの高ロバスト性が要求されるデータを除外し、それらのデータを他のサブフレームに割り当てる。そして、送信データ選択部４４は、サブフレーム＃０、＃５に、制御データ以外のデータを割り当てる。
【００７３】
このように、制御データなどの重要なデータを、伝送誤り率が高くなるサブフレーム♯０、♯５に割り当てないようにすることで、システムスループットの低下を防ぐことができる。
【００７４】
（Ｄ）送信データ選択部４４は、サブフレーム＃０、＃５に割り当てるデータとして、Ｌ１ Ｓｔａｔｕｓ Ａｃｋや、Ｌ１のＡｃｋＮａｃｋなど、ビット数が所定値よりも少ない制御情報を優先的に選択する。そして、送信データ選択部４４は、他のサブフレームに割り当てるデータとして、それ以外のデータを選択する。
【００７５】
このように、サブフレーム♯０、♯５にビット数が少ないデータを割り当てることで、伝送誤りを低下させることができるとともに、システムスループットの低下を防ぐことができる。
【００７６】
図８の説明に戻ると、送信モード選択部４５は、ＣＱＩ受信部４１が受信したＣＱＩの情報に応じて送信モードを選択し、選択した送信モードの情報をＰＤＳＣＨ送信部４６に出力する。送信モードには、例えば、空間多重を行わないＲＡＮＫ１送信モードや、空間多重を行うＲＡＮＫ２送信モードなどがある。
【００７７】
ＰＤＳＣＨ送信部４６は、ＰＤＳＣＨを介して、送信モード選択部４５により選択された送信モード、および、ＴＢＳ選択部４３で決定したＴＢＳで、スケジューリングされた移動局装置２０に、送信データ選択部４４により選択されたデータを送信する。
【００７８】
このように、優先度が低いデータや、送信チャネルの品質の高いデータ、重要でないデータ、サイズの小さいデータを、サブフレーム♯０、♯５に割り当てることで、システムスループットの低下を防ぐことができる。
【産業上の利用可能性】
【００７９】
本発明は、利用可能なリソース量が互いに異なる第１のフレームおよび第２のフレームのいずれかを用いてデータの送信を行う基地局装置、および、データ送信方法に用いるのに好適である。特に、ＬＴＥ、または、ＬＴＥ−Ａｄｖａｎｃｅｄの規格に準拠してデータの送信を行う基地局装置、および、データ送信方法に用いるのに好適である。
【符号の説明】
【００８０】
１０  基地局装置
１１  ＣＱＩ受信部
１２  ＭＣＳ選択部
１３  ＴＢＳ選択部
１４  送信モード選択部
１５  ＰＤＳＣＨ送信部
２０  移動局装置
２１  ＰＤＳＣＨ受信部
２２  ＣＱＩ処理部
２３  制御部
２４  ＰＵＳＣＨ送信部
３０  基地局装置
３１  ＣＱＩ受信部
３２  ＭＣＳ選択部
３３  ＴＢＳ選択部
３４  送信モード選択部
３５  送信モード調整部
３６  ＰＤＳＣＨ送信部
４０  基地局装置
４１  ＣＱＩ受信部
４２  ＭＣＳ選択部
４３  ＴＢＳ選択部
４４  送信データ選択部
４５  送信モード選択部
４６  ＰＤＳＣＨ送信部
【図１】
2014192734.tif 000005
【図２】
2014192734.tif 000006
【図３】
2014192734.tif 000007
【図４】
2014192734.tif 000008
【図５】
2014192734.tif 000009
【図６】
2014192734.tif 000010
【図７】
2014192734.tif 000011
【図８】
2014192734.tif 000012